(57)【要約】      （修正有）【課題】特に電磁誘導加熱調理器とともに使用して調理物を加熱調理する用途に適した調理容器であって、取っ手の部分の断熱性および安全性を向上させることができ、さらに取っ手を容易に着脱できて使い勝手を向上させることができる調理容器を提供する。【解決手段】調理物を収納可能な内部空間を備えた容器本体２と、容器本体の外周上方に位置し、容器本体に対してほぼ水平方向外方に張り出すように設けられた取っ手支持板２１と、取っ手支持板を上下に貫通して設けられた取っ手係止孔２２と、柔軟性を有する断熱材料からなり、取っ手支持板を上下から覆うように配置された断熱取っ手３と、断熱取っ手に設けられ、取っ手係止孔を通して前記断熱取っ手の上下の部分を結合する結合部材３４と、柔軟性を有する断熱材料からなり、断熱取っ手の下面側に連設され、容器本体の側面に沿って配置された断熱垂下壁３３とを有する。【選択図】図１
0003119940.tif 000002
【実用新案登録請求の範囲】
【請求項１】
調理物を収納可能な内部空間を備えた容器本体（２）と、
前記容器本体（２）の外周上方に位置し、前記容器本体（２）に対してほぼ水平方向外方に張り出すように設けられた取っ手支持板（２１）と、
前記取っ手支持板（２１）を上下に貫通して設けられた取っ手係止孔（２２）と、
柔軟性を有する断熱材料からなり、前記取っ手支持板（２１）を上下から覆うように配置された断熱取っ手（３）と、
前記断熱取っ手（３）に設けられ、前記取っ手係止孔（２２）を通して前記断熱取っ手（３）の上下の部分を結合する結合部材（３４）と、
柔軟性を有する断熱材料からなり、前記断熱取っ手（３）の下面側に連設され、前記容器本体（２）の側面に沿って配置された断熱垂下壁（３３）とを有する調理容器。
【請求項２】
請求項１に記載した調理容器であって、
前記断熱垂下壁（３３）の高さは、前記容器本体（２）の全高の２分の１以上である調理容器。
【請求項３】
請求項１，２のいずれか１項に記載した調理容器であって、
前記容器本体（２）は電磁誘導加熱可能な材料からなるものであり、電磁誘導加熱調理器用に使用される調理容器。
【請求項４】
請求項１〜３のいずれか１項に記載した調理容器であって、
前記調理容器は両手持ち用の調理容器であり、
前記取っ手支持板（２１）および前記断熱取っ手（３）は、前記容器本体（２）の２個所に設けられているものである調理容器。
【請求項５】
請求項１〜４のいずれか１項に記載した調理容器であって、
前記断熱取っ手（３）および前記断熱垂下壁（３３）は、発泡ゴム材料を主要部とするものである調理容器。
【請求項６】
請求項５に記載した調理容器であって、
前記断熱取っ手（３）および前記断熱垂下壁（３３）は、クロロプレンゴムの発泡体の外表面に合成繊維布が貼り付けられたものである調理容器。
【請求項７】
請求項１〜６のいずれか１項に記載した調理容器であって、
前記結合部材（３４）は、面ファスナーからなるものである調理容器。
【考案の詳細な説明】
【技術分野】
【０００１】
この考案は、特に電磁誘導加熱調理器とともに使用して調理物を加熱調理する用途に適した調理容器に関し、詳しくは、取っ手の部分の断熱性および安全性を向上させることができ、さらに取っ手を容易に着脱でき使い勝手を向上させることができる調理容器に関するものである。
【背景技術】
【０００２】
電磁誘導加熱調理器は燃焼炎を使用しない安全かつ高効率の加熱調理器として急速に普及が拡大している。このような電磁誘導加熱調理器とともに使用するための調理容器としても種々の形態のものが製造されている。一般的な調理容器の取っ手の構造としては、下記の特許文献１に記載されたようなものが公知である。特許文献１には、把手を本体にねじ止めによって固定するようにした電気調理器が記載されている。
【特許文献１】実開昭６２−１１５８２３号公報
【考案の開示】
【考案が解決しようとする課題】
【０００３】
特許文献１に記載された電気調理器では、取っ手が本体にねじ止めされており、簡単には取り外すことができない。また、取っ手の下側が調理器本体に沿って垂下しているが、その垂下している部分は小さい。このため、取っ手を取り外して調理器本体を洗浄したりすることは容易ではない。また、取っ手として色や材質の異なる複数種類のものを用意しておき、それらを自由に交換して使用者の嗜好に適合させるようなことも困難である。また、高温状態の調理容器を持ち運ぶ場合に、使用者の指などが調理容器の側壁に触れて火傷を負ってしまうという危険があった。
【０００４】
そこで、本考案は、特に電磁誘導加熱調理器とともに使用して調理物を加熱調理する用途に適した調理容器であって、取っ手の部分の断熱性および安全性を向上させることができ、さらに取っ手を容易に着脱できて使い勝手を向上させることができる調理容器を提供することを目的とする。
【課題を解決するための手段】
【０００５】
上記目的を達成するために、本考案の調理容器は、調理物を収納可能な内部空間を備えた容器本体と、前記容器本体の外周上方に位置し、前記容器本体に対してほぼ水平方向外方に張り出すように設けられた取っ手支持板と、前記取っ手支持板を上下に貫通して設けられた取っ手係止孔と、柔軟性を有する断熱材料からなり、前記取っ手支持板を上下から覆うように配置された断熱取っ手と、前記断熱取っ手に設けられ、前記取っ手係止孔を通して前記断熱取っ手の上下の部分を結合する結合部材と、柔軟性を有する断熱材料からなり、前記断熱取っ手の下面側に連設され、前記容器本体の側面に沿って配置された断熱垂下壁とを有するものである。
【０００６】
また、上記の調理容器において、前記断熱垂下壁の高さは、前記容器本体の全高の２分の１以上であることが好ましい。
【０００７】
また、上記の調理容器において、前記容器本体は電磁誘導加熱可能な材料からなるものであり、電磁誘導加熱調理器用に使用されることが好ましい。
【０００８】
また、上記の調理容器において、前記調理容器は両手持ち用の調理容器とすることができ、その場合、前記取っ手支持板および前記断熱取っ手は、前記容器本体の２個所に設けられる。
【０００９】
また、上記の調理容器において、前記断熱取っ手および前記断熱垂下壁は、発泡ゴム材料を主要部とするものであることが好ましい。
【００１０】
また、上記の調理容器において、前記断熱取っ手および前記断熱垂下壁は、クロロプレンゴムの発泡体の外表面に合成繊維布が貼り付けられたものであることが好ましい。
【００１１】
また、上記の調理容器において、前記結合部材は、面ファスナーからなるものであることが好ましい。
【考案の効果】
【００１２】
本考案は、以上のように構成されているので、以下のような効果を奏する。
【００１３】
取っ手を柔軟性を有する断熱材料としたので、断熱取っ手を簡単に取り付け、取り外しできるため、断熱取っ手を取り外して容器本体の全体洗浄を行うことも容易である。また、種々の配色や模様を施した取っ手を用意しておき、使用者の嗜好に合わせてそれらを交換して使用することも容易に行うことができる。そのため、その場の状況や雰囲気、季節などに合わせて外観を多様に変更して、飽きの来ない調理容器とすることができる。
【００１４】
調理容器の断熱垂下壁の高さを容器本体の全高の２分の１以上として、断熱垂下壁が断熱取っ手下方の容器本体の側面を大きく覆っているので、高温状態の調理容器を持ち運ぶ際にも、指などが容器本体の側面に触れることがなく、火傷等を未然に防止することができる。
【００１５】
調理容器が電磁誘導加熱調理器用であれば、断熱垂下壁が下方に延びていても下端に炎が当たることはなく安全である。
【００１６】
断熱取っ手および断熱垂下壁の主要部を発泡ゴム材料とすれば、断熱性を向上させるとともに製造コストを低下させることができる。
【００１７】
断熱取っ手および断熱垂下壁の主要部をクロロプレンゴムの発泡体とすれば、耐熱性、耐久性、耐薬品性、難燃性等を点で優れたものとなる。また、発泡体の外表面に合成繊維布を貼り付けることにより、色、模様や手触りも使用者の好みに応じた種々の形態とすることが可能となる。
【００１８】
結合部材が面ファスナーであれば、断熱取っ手の取り付けおよび取り外しを極めて容易に行うことができる。
【考案を実施するための最良の形態】
【００１９】
本考案の実施の形態について図面を参照して説明する。図１は、本考案の調理容器１の全体構成を示す断面図である。また、図２は、調理容器１の容器本体２を上方から見た図である。調理容器１は両手持ち用鍋の例である。調理容器１の容器本体２内に調理物等を収容して電磁誘導加熱調理器のトッププレート上に載置し、内部の調理物等を加熱調理することができる。
【００２０】
容器本体２の外周最上部には、ほぼ水平方向外方に張り出すように取っ手支持板２１が設けられている。取っ手支持板２１は、容器本体２と一体的に形成したものでもよく、別部材を溶接等によって容器本体２に固着したものでもよい。取っ手支持板２１には上下に貫通して取っ手係止孔２２が形成されている。取っ手係止孔２２は、断熱取っ手３を係止して取っ手支持板２１に固定するためのものである。
【００２１】
容器本体２は、ＪＩＳ規格におけるＳＵＳ４３０等のステンレス綱板材を加工して容器としたものである。板材の板厚は０．８〜２ｍｍ程度が適当である。板材の材料は、電磁誘導加熱による加熱性の点からＳＵＳ４３０が適しているが、ＳＵＳ３０４等の他のステンレス綱や、アルミニウム合金なども使用可能である。容器本体２の上部は開放されおり、この上部を閉塞可能な蓋部４が配置されている。蓋部４には取っ手４１が取り付けられており、取っ手４１を手で持って蓋部４を容易に着脱することができる。蓋部４の材料は容器本体２と同じ材料でもよいし、別の材料でもよい。
【００２２】
容器本体２の取っ手支持板２１には、図１に示すように、柔軟性を有する断熱材料からなる断熱取っ手３が取り付けられる。断熱取っ手３は、上面側の上面部材３１と下面側の下面部材３２によって取っ手支持板２１を覆うように構成されている。上面部材３１と下面部材３２とが重ね合わされて、その外周が縫合などによって結合されている。ただし、上面部材３１と下面部材３２の内周側（容器本体２側）は結合されておらず、上面部材３１と下面部材３２の間に取っ手支持板２１を挿入できる。
【００２３】
上面部材３１と下面部材３２の内面側の取っ手係止孔２２に対応する位置には、上面部材３１および下面部材３２を互いに結合可能な結合部材３４，３４が配置されている。結合部材３４，３４としては、面ファスナーが結合および分離のしやすさから好ましが、押すだけで結合できるスナップ（押しボタン）等の結合具も使用することができる。
【００２４】
図１の右側の点線矢印に示すように、断熱取っ手３を取っ手支持板２１にかぶせ、結合部材３４，３４を上下から押圧することで、簡単に断熱取っ手３を取り付けることができる。また、断熱取っ手３を取り外す場合は、上面部材３１の内周側を上方に引き上げることにより、簡単に結合部材３４，３４を分離することができるので、その後、断熱取っ手３を外方に引き抜けばよい。
【００２５】
断熱取っ手３の下面部材３２に連続して断熱垂下壁３３が設けられている。断熱取っ手３が所定の位置に取り付けられると、断熱垂下壁３３は容器本体２の側面外周に沿って配置されるようになる。このとき、断熱垂下壁３３の内面は容器本体２の側面外周に接している。断熱垂下壁３３は断熱取っ手３の下面側から下方に容器本体２の側面を大きく覆っている。断熱垂下壁３３の高さは容器本体２の全高の２分の１以上あることが望ましい。すなわち、断熱垂下壁３３の高さは容器本体２の全高の０．５〜０．９倍程度であればよい。
【００２６】
調理容器１が電磁誘導加熱調理器用であるため、断熱垂下壁３３が下方に延びていても下端に炎が当たることはない。断熱垂下壁３３が断熱取っ手３下方の容器本体２の側面を大きく覆っているので、調理容器１を持ち運ぶ際にも、指などが容器本体２の側面に触れることがなく、火傷等を未然に防止することができる。
【００２７】
なお、断熱垂下壁３３は電気絶縁性であるため、断熱垂下壁３３自体が電磁誘導加熱を受けることもない。断熱取っ手３および断熱垂下壁３３は、クロロプレンゴムの発泡体の外表面に合成繊維布が貼り付けられたもので形成されている。クロロプレンゴムはクロロプレンを乳化重合して作られる合成ゴムであり、耐熱性、耐老化性、耐オゾン性、耐候性、耐薬品性、難燃性等の点で優れている。このクロロプレンゴムを発泡体としてスポンジ状の所定厚さの断熱材として成形する。スポンジ状断熱材の厚さは３〜１０ｍｍ程度でよい。外表面に貼り付ける合成繊維布は、ポリアミド系繊維（いわゆるナイロン）の布が好ましい。
【００２８】
図３は、本考案の他の実施の形態の調理容器１ａの全体構成を示す断面図である。ただし、蓋部は図示を省略している。この調理容器１ａは片手持ち用鍋の例である。調理容器１ａの容器本体２ａ内に調理物等を収容して電磁誘導加熱調理器のトッププレート上に載置し、内部の調理物等を加熱調理することができる。調理容器１ａの構成は、調理容器１とほぼ同様であるため、異なるところのみ説明する。まず、片手持ち用鍋であるため取っ手支持板２１ａは１個所にのみ設けられている。また、取っ手支持板２１ａおよび断熱取っ手３ａの長さが長く形成されている。その他の、結合部材３４ａおよび断熱垂下壁３３ａに関しては、図１の調理容器１と同様である。
【００２９】
以上のように、調理容器１，１ａの断熱取っ手３，３ａを簡単に取り付け、取り外しできるため、断熱取っ手を取り外して容器本体の全体洗浄を行うことも容易である。また、種々の配色や模様を施した断熱取っ手を用意しておき、使用者の嗜好に合わせてそれらを交換して使用することも容易に行うことができる。そのため、その場の状況や雰囲気、季節などに合わせて外観を多様に変更して、飽きの来ない調理容器とすることができる。
【００３０】
さらに、断熱垂下壁が断熱取っ手下方の容器本体の側面を大きく覆っているので、高温状態の調理容器を持ち運ぶ際にも、指などが容器本体の側面に触れることがなく、火傷等を未然に防止することができる。
【００３１】
なお、以上の説明では、調理容器として両手持ち用鍋および片手持ち用鍋の例に関して説明したが、本考案は他の形態の任意の調理容器にも適用可能である。また、断熱取っ手および断熱垂下壁としては、クロロプレンゴムの発泡体を主要部としたものを説明したが、他の柔軟性を有する断熱材料でもよい。
【産業上の利用可能性】
【００３２】
本考案により、特に電磁誘導加熱調理器とともに使用して調理物を加熱調理する用途に適した調理容器において、取っ手の部分の断熱性および安全性を向上させることができ、さらに取っ手を容易に着脱でき使い勝手を向上させることができる。すなわち、断熱性、安全性および使い勝手の向上した調理容器を提供することができる。
【図面の簡単な説明】
【００３３】
【図１】本考案の調理容器１の全体構成を示す断面図である。
【図２】調理容器１の容器本体２を上方から見た図である。
【図３】他の実施の形態の調理容器１ａの全体構成を示す断面図である。
【符号の説明】
【００３４】
１，１ａ  調理容器
２，２ａ  容器本体
３，３ａ  断熱取っ手
４  蓋部
４１  取っ手
２１，２１ａ  取っ手支持板
２２  取っ手係止孔
３１  上面部材
３２  下面部材
３３，３３ａ  断熱垂下壁
３４，３４ａ  結合部材
【図１】
0003119940.tif 000003
【図２】
0003119940.tif 000004
【図３】
0003119940.tif 000005